【事件の表示】
　平成１０年特許願第５３７６９３号「栄養補助物質の製造方法」拒絶査定不服審判事件〔平成１０年　９月　３日国際公開、ＷＯ９８／３７７７３、平成１３年　９月１１日国内公表、特表２００１−５１４４９９〕について、次のとおり審決する。
【結　論】
　本件審判の請求は、成り立たない。
【理　由】
【１】手続きの経緯
　本願は、１９９８年２月１２日（パリ条約による優先権主張外国庁受理１９９７年２月２７日、アメリカ合衆国）を国際出願日とする出願であって、平成１９年４月２３日付けで拒絶査定がなされ、これに対し、同年８月３日に審判請求がなされるとともに、同日付けで手続補正がなされたものである。
　また、当審において、平成２０年１１月７日付けで審査官による前置報告書に基づく審尋がなされたが、回答書は提出されなかった。
　
【２】平成１９年８月３日付け手続補正についての補正の却下の決定  
　［補正の却下の決定の結論］  
　平成１９年８月３日付けの手続補正（以下、「本件補正」という。）を却下する。 
　
　［理由］  
１．補正の内容・目的
　本件補正は、特許請求の範囲について、補正前（平成１９年３月１５日付け手続補正書参照。）に、
　
「１．若い動物の成長を促進するため所望のアミノ酸を与えるようにした栄養補助物質の製造方法であって、
  動物血液、加水分解された羽および屑肉を混合して混合物を作る工程と、
  該混合物にプロテアーゼ酵素を添加する工程と、
  該プロテアーゼ酵素で上記混合物を消化する工程と、
  消化された混合物を乾燥し、その水分が５−８重量％となるようにし、同時に混合物中の病原菌の滅菌を行う工程と、
  を具備してなることを特徴とする方法。」
　とあったものを、
　
「【請求項１】
　若い動物の成長を促進するため所望のアミノ酸を与えるようにした栄養補助物質の製造方法であって、
動物血液、予め熱加水分解された羽および動物屑肉を混合して混合物を作る工程と、
該混合物を粉砕し、該混合物中の固体粒子の表面積を増大させ、酵素活性を高める工程と、
該混合物にプロテアーゼ酵素を添加する工程と、
該プロテアーゼ酵素で上記混合物を消化する工程と、
該プロテアーゼ酵素を予め失活させることなく、消化された混合物を急速乾燥し、その水分が５−８重量％となるようにすると同時に混合物中の病原菌の滅菌を行う工程と、
を具備してなり；
これら処理の間、温度を８３℃を超えないようにすることを特徴とする方法。」
　と補正しようとすることを含むものである。
　
　上記補正は、本件補正前の請求項１に係る発明を特定するために必要な事項である混合物について、「該混合物を粉砕し、該混合物中の固体粒子の表面積を増大させ、酵素活性を高める工程」点を付加し、また、乾燥及び滅菌の工程において、「プロテアーゼ酵素を予め失活させ」ない点、及び全体処理の間「温度を８３℃を超えないようにする」点を、それぞれ付加し、限定したものと認められるから、本件補正は、少なくとも、特許法第１７条の２第４項第２号の特許請求の範囲の減縮を目的とする補正事項を含むものである。
　
　そこで、本件補正後の請求項１に係る発明（以下、「本件補正発明」という。）が特許出願の際独立して特許を受けることができるものであるか、すなわち、平成１８年法律第５５号改正附則第３条第１項によりなお従前の例によるとされる同法による改正前の特許法第１７条の２第５項において準用する同法第１２６条第５項に規定する要件を満たしているか、について以下に検討する。
　
２．特許法第２９条第２項違反について
　２−１．引用刊行物
　　刊行物１：特開平６−９０７７４号公報
　　刊行物２：特開昭６１−２３４７４３号公報
（１）刊行物１
　原査定の拒絶の理由に引用され、本願の優先日前に頒布された上記刊行物１には、図面とともに、以下の記載がある。
（１ａ）「【請求項１】  脂質物質および蛋白性物質の水性混合物を形成し；蛋白質分解酵素によって混合物中の蛋白質を加水分解させ；酵素処理された混合物を無菌化し；そして混合物を水分含量２５重量％、あるいはそれ以下にまで乾燥する段階を含むカプセル化された脂質物質の製造方法。
・・・
【請求項４】  羽毛が上述した水性混合物中に含まれている請求項２または３による方法。
【請求項５】  蛋白質分解酵素がプロテアーゼの混合物である請求項１〜４のいずれかによる方法。
【請求項６】  無菌段階が少なくとも１３３℃の温度で少なくとも２０分間混合物を加熱することによって行われる請求項１〜５のいずれかによる方法。
・・・
【請求項９】  酵素処理されそして無菌化された混合物が水分含量１０重量％あるいはそれ以下となるまで乾燥される請求項１〜８のいずれかによる方法。
・・・」（特許請求の範囲）
　
（１ｂ）「【産業上の利用分野】本発明は蛋白マトリックス内に脂質物質をカプセル化する方法及びそうして製造されたカプセル化された脂質物質に関する。本方法の製品は家畜の栄養物として用いられうる。」（段落【０００１】）
　
（１ｃ）「脂質物質は純粋である必要はない。すなわち、原料のままあるいは未精製の動物脂肪は使用可能であり、必要ならば細分されうる。例えばくず肉や臓物のような、脂肪を含む他の動物脂肪組織が使用可能である。・・・
　普通、蛋白性物質は機能的蛋白でありそして動物性、植物性を問わず、例えば小麦蛋白、大豆たんぱく、魚組織、動物組織、液体または乾燥血液、或いはカゼインのような適切な原料に由来する。２種類又はそれより多くの蛋白質あるいは蛋白原料の混合物も、もちろん用いられる。」（段落【００１０】、【００１１】）
　
（１ｄ）「・・・加水分解された羽毛も使用されるが、本発明方法は未加工の羽毛の使用を許容し；それによって羽毛を加水分解するという予備段階を省き、さらに効率を改善し、作業を低コストにするという利点を有する。適当な蛋白性物質は全蛋白質の１５〜２０重量％のアルブミンと８０〜８５重量％の非アルブミン蛋白質を含む。
　上述したものとは異なる他の原料から得られる脂質物質および／または蛋白性物質を使用することはもちろん可能である。すなわち、食品および飲料物産業からの廃棄副産物の使用が考慮される。未加工物質は、必要ならば細分されて、完全に混合され、そしてその結果得られた混合物は、蛋白質分解酵素が加えられる前に、攪拌または振動されそして一般的には４０〜６０℃（好ましくは４５〜５５℃）に加熱される。一般的には、その混合物は持続的に攪拌または振動され、その間高められた温度、一般的には４０〜６０℃（好ましくは４５〜５５℃）に、上述した酵素の添加の間およびその後（典型的には１時間）実質的にまたは完全に混合物中で蛋白質が加水分解されるに十分な期間維持される。・・・」（段落【００１４】、【００１５】）
　
（１ｅ）「続いて、酵素処理された混合物は、殺菌段階特別には加熱殺菌段階を受けてる。このものの目的は最終製品が伝染性動物疾病として知られているものに関して、適切な微生物学的無菌状態を確保することである。・・・好ましくは、酵素処理され混合物は１３３℃あるいはそれ以上の温度で２０分間あるいはそれ以上の時間加熱される・・・。好ましくは、このことは加圧下（典型的には２５０〜３００ＫＰａ）前述混合物を蒸気処理に付しつづけることによりなされる。・・・
　殺菌段階から得られたままの混合物は一般的には小球状または小滴状の脂質物質を含みそして加水分解された蛋白質の水性懸濁液（この文章においてこの言葉は溶液またはコロイド溶液を含む）中の脂質物質の分散物あるいは乳化物を得るためにこれらの粒子サイズ小さくすることが望ましい。・・・
　乳化物または分散物はそれからその水分（水）含量が２５重量％あるいはそれ以下になるまで乾燥される。使用される装置は、例えばロータリードラム乾燥機、真空吸引乾燥機あるいは流動床凝集乾燥機のような連続乾燥機が好ましい。使用される温度は、許容されない程の製品の価値の低下をおこすほどには高い温度ではないが、例えば１〜５時間のように商業的に受け入れられる時間内に、所望の乾燥が達成されるに十分な高温であるべきである。６０〜１２０℃、例えば８０℃〜１１０℃温度が許容できることが明らかにされている。
　・・・組成物を１０重量％あるいはそれ以下（例えば８％〜０％まで）の水分含量にまで乾燥させることが好ましく、そのレベルにおいて普通抗生物質の添加なしに適当な無菌状態を維持することが可能である。」（段落【００１９】〜【００２４】）
　
（１ｆ）「・・・製品の物理的な形状は使用した乾燥機の型に依る。つまりそれは、例えば薄片（池の魚の餌に適している）、粉、かけら状、細かいえさまたは顆粒でありうる。しかし、脂質分が実質的、持続的にカプセル化されておりそして乾燥中にあるいはそれ以後の過程（ペレットにする、細かく砕くまたはそれと同様な過程）に付されたとき、漏れることがないということは製品の重要な特徴である。」（段落【００２６】）
　
（１ｇ）「【実施例】
実施例１
次の未加工物質の混合物が造られた（部は新鮮なものの重量による）：
４０部の混合動物副産物（１５部の家きん内臓、１０部の豚内臓および１５部の家きん廃物（頭、足）を含む）
３０部の未加工の羽毛部
３０部の部分的に脱水された血液（水分約５０重量％）
　この混合物は直径約２５ｍｍの穴をもつオリフィス盤を通過することによって細分化された。未加工物質（原料）から得られた混合物は攪拌され、約５０℃に加熱され、０.４リットルの蛋白質分解酵素製品であるＮｅｕｔｒａｓｅ０.５Ｌ（Ｎｏｖｏ  Ｎｏｒｄｉｓｋ  Ｂｉｏｉｎｄｕｓｔｒｉｅｓ）が上記の混合物１,０００Ｋｇに加えられた。この混合物は酵素製品を添加している間およびその後約１時間持続的に攪拌され、また温度は通して約４５℃に維持され、混合物中の蛋白質の加水分解を促進した。ｐＨはこの段階の間通して６.０〜７.５の範囲に維持された。
　得られた酵素処置された流動可能な混合物は、それから、攪拌された圧力容器中で吹き込まれた勢いのある蒸気を使い１３５℃の温度で加熱された。温度（１３５℃）と４０ｐｓｉ（２７５ｋｐａ）の圧力はこの無菌段階の間ずっといくらかの蒸気を持続的に排気することによって２０分間維持された。２０分後圧力は解除され混合物の温度は自然に約１００℃に下げられた。
　熱に安定な液体抗酸化乳化物（スウェーデンのＲｅｘｏｌｉｎ  ＡＢより）は得られた無菌混合物に加えられ、それはそれから１０〜１５μｍの範囲にある微粒子サイズの油滴を減少させるためＳｉｌｖｅｒｓｏｎの持続的インラインホモジナイザーを通過させた。得られた乳化物はそれからＳｔｏｒｄ  Ｒｏｔａｄｉｓｃ乾燥機で最高１１５℃の温度で水分含量１０重量％以下となるまで全部で３時間以上乾燥された。このようにして得られた砕け易い粉末はそれから周囲の温度において空気を通風させることで冷却された。
　得られた製品であるカプセル化された脂質物質は、ほぼ以下の化学的分析値（重量）を有する：
水分              ７％
蛋白質          ５５％
脂肪            ３４％
灰分              ３％
繊維            ＜１％
この製品は、非グリース状で、自由流動性の砕け易い粉末であり、これは動物飼料ペレット中に７重量％含まれるときは、添加された脂肪を２重量％以上含む慣用的な製品で普通経験される悪いペレット化の性質が何もないことを示した。」（段落【００３６】〜【００４０】）
　
（１ｈ）「実施例４
実施例１で得られた製品が６重量％含量で豚用の試験動物飼料中に混合された。調節された食料は試験食料中に加えられた比率の血液、羽毛、肉食餌及び動物性脂肪の分離添加によって形成された。２種の食料は、消化されるエネルギー（ＤＥ、ＭＪ／Ｋｇ）、蛋白質、脂肪、そしてアミノ酸（リジン、メチオニン、スレオニン、トリプトファン）という項目で食料調整技術によって調合された。
　２種の食料は２つのグループの豚に彼らの食物摂取量、成長率および食物転化能率（ＦＣＥ）を３週間の試験期間において決定するために与えられた。その結果は下記のとおりである。
　　　　　　　　　　　　　　コントロール　　　　　　　試験
出発生物重量　Ｋｇ　　　　　　　　　２３　　　　　　　２２
飼料消費　　　Ｋｇ／日　　　　０．５４４　　　　０．７７９
獲得生物重量　Ｋｇ／日　　　　０．３１０　　　　０．４７２
ＦＣＥ　　　　　　　　　　　　　１．７５　　　　　１．６５
動物数　　　　　　　　　　　　　　　２２　　　　　　　２２
　これらのデータは本発明でいう未加工物質の加工に帰する食物摂取量、成長率および食物転化能率において重要な改善があることを示している。・・・」（段落【００４５】〜【００４７】）
　
　以上の記載事項（１ａ）〜（１ｈ）から見て、刊行物１には、以下の発明が記載されているものと認められる。（以下、「刊行物１記載の発明」という。）
　
「家畜の栄養物として用いられ、成長率において重要な改善がある、蛋白マトリックス内に脂質物質をカプセル化する方法であって、
動物血液、未加工の羽毛および家きん廃物等のくず肉を混合して混合物を作る工程と、
該混合物を直径約２５ｍｍの穴をもつオリフィス盤を通過することによって細分化する工程と、
該混合物にプロテアーゼの混合物である蛋白質分解酵素を添加する工程と、
該蛋白質分解酵素によって上記混合物中の蛋白質を加水分解する工程と、
消化された混合物を１３３℃あるいはそれ以上の温度で２０分間あるいはそれ以上の時間加熱される加熱殺菌工程と、
酵素処理されそして無菌化された混合物が水分含量１０重量％あるいはそれ以下（例えば８％〜０％まで）の水分含量にまで乾燥させ、例えば薄片、粉、かけら状、細かいえさまたは顆粒の製品とする工程と、
を具備してなる方法。」
　
（２）刊行物２
　原査定の拒絶の理由に引用され、本願の優先日前に頒布された上記刊行物２には、図面とともに、以下の記載がある。
（２ａ）「本発明は家畜・家禽用飼料に関するもので、さらに詳しくは、部分的に分解された魚蛋白質、即ち部分分解魚蛋白質を含有する家畜・家禽用飼料に関するものである。」（２頁左上欄５〜８行）
　
（２ｂ）「〔従来の技術及び発明が解決しようとする問題点〕
　従来、家畜・家禽用飼料には蛋白質源としてフィッシュ・ミール、所謂魚粉が使用されているが、このフィッシュ・ミールには北洋ミール、沿岸ミール、輸入ミール等があり、北洋ミールは比較的良質であるにしても沿岸ミールや輸入ミールは酸化した脂肪の含有量が多く、又蛋白質の熱変性が著しく、さらに有効栄養成分の分解、劣化を起こしたものが多く、これらを家畜・家禽に与えると発育の停滞、下痢等を引き起こし、これらのミールを多量に与えると卵や肉に魚臭が移ったりする場合がある。・・・
〔問題点を解決するための手段〕
　本発明者らは、前記の如き現状に鑑み、家畜・家禽用飼料の蛋白質源として、従来の沿岸ミール、輸入ミールが有している欠点がなく、ひいては北洋ミールよりさらに好適なものを開発すべく鋭意検討を進めた結果、部分的に分解された魚蛋白質、即ち部分分解魚蛋白質が家畜・家禽用飼料の蛋白質源として非常に好適であることを見い出し、本発明を完成するに至った。
　即ち、本発明の家畜・家禽用飼料は、部分的に分解され、熱変性されていない魚蛋白質であって、分子量１０万より大きいものが２０％以下、分子量１０万〜４万のものが２０〜５０％、分子量４万〜１．４万のものが２０〜５０％、分子量１．４万より小さいものが２０％以下からなる部分分解魚蛋白質を含有することを特徴とする。」（２頁左上欄９行〜左下欄４行）
　
（２ｃ）「本発明で使用される前記の部分分解魚蛋白質は、例えば（１）魚体そのまま、或いはそれから内臓部分又は／及び表皮部分を除去したもの、（２）魚体から採肉して得られる魚肉又はそれを加工したもの及び（３）魚類の残滓等から選ばれた原料を、蛋白質分解酵素で処理するか又は自己消化させ、その後、必要なら魚骨及び魚油、又はさらに水溶性成分を分離、除去することによって得られる。
　・・・
　前記の部分分解魚蛋白質を得るために使用される蛋白質分解酵素としては、例えば・・・レンニン等のようなプロテアーゼ；例えば・・・アミノペプチダーゼ、アンギオテンシナーゼ、アンギオテンシン変換酵素、インシュリナーゼ、例えば・・・カルボキシペプチダーゼ、例えば・・・ジペプチダーゼ、プロナーゼのようなペプチダーゼ；及びその他の蛋白質分解酵素並びにそれらの変性品、配合品等があげられ、その作用様式に従ってポリペプチド鎖の末端から作用して行くエキソ型プロテアーゼと内部に作用するエンド型プロテアーゼとに分けられるが、特にエンド型プロテアーゼが好ましい。」（２頁左下欄７行〜３頁左上欄１１行）
　
（２ｄ）「前記のように蛋白質分解酵素で処理して得られた生成物又は自己消化により得られた生成物は、種々の手段により酵素を失活させた後それに使用した原料との関係で、もし魚骨、魚油等を多量に含んでいる場合、これらを例えば遠心濾過、遠心分離等の手段により当該生成物より除去し、また水溶性成分を含む水溶液部分を例えば遠心分離等の手段でさらに当該生成物より除去することにより、本発明に使用される部分分解魚蛋白質を得ることができる。・・・」（３頁左下欄３〜１２行）
　
（２ｅ）「・・・尚、かかる部分分解魚蛋白質は、必要に応じて凍結乾燥、噴霧乾燥、通風乾燥等の種々の手段で乾燥することもできる。」（４頁左上欄２〜４行）
　
（２ｆ）「参考例１
　マイワシ１Ｋｇに蛋白質分解酵素：プロテア−ゼアマノＡ（天野製薬（株）製）０．３ｇを少量の水に溶解して加え、温度を５０℃に保って３０分間攪拌すると、次第に魚骨より魚肉が剥離して全体がスラリー状となる。
　・・・
　次にこのスラリー状物を昇温しで７５℃で１５分間保ち、酵素を失活させた後、６メッシュのステンレス製金網を取り付けたバスケット型遠心器で魚骨を除去し、魚骨の除去されたスラリーを３０００ｒ．ｐ．ｍ．で５分間遠心分離して魚油、水相（スティックウォーター）、部分分解魚蛋白質沈澱部に分離させ、部分分解魚蛋白質からなるケーキを取得した。
　このケーキを真空凍結乾燥して１３０ｇの粉末状部分分解魚蛋白質を得た。」（４頁左下欄１８行〜５頁左上欄９行）
　
　以上の記載事項（２ａ）〜（２ｆ）から見て、刊行物２には、以下の発明が記載されているものと認められる。（以下、「刊行物２記載の発明」という。）
　
「部分的に分解され、熱変性されていない魚蛋白質を得るため、マイワシ１Ｋｇに蛋白質分解酵素（プロテア−ゼアマノＡ（天野製薬（株）製））０．３ｇを少量の水に溶解して加え、温度を５０℃に保って３０分間攪拌して全体がスラリー状とし、次にこのスラリー状物を昇温して７５℃で１５分間保ち、酵素を失活させた後、魚油、水相（スティックウォーター）、部分分解魚蛋白質沈澱部に分離させて部分分解魚蛋白質からなるケーキを取得し、このケーキを真空凍結乾燥して１３０ｇの粉末状部分分解魚蛋白質を得る部分分解魚蛋白質を含有する家畜・家禽用飼料」
　
　２−２．対比
　本件補正発明と上記刊行物１記載の発明とを対比すると、刊行物１記載の発明の「家きん廃物等のくず肉」が、本件補正発明の「動物屑肉」に相当し、以下「プロテアーゼの混合物である蛋白質分解酵素」が「プロテアーゼ酵素」に、「蛋白質分解酵素によって上記混合物中の蛋白質を加水分解する工程」が「プロテアーゼ酵素で上記混合物を消化する工程」に、「混合物乾燥させる工程」が「消化された混合物を急速乾燥」する工程に、それぞれ相当する。
　また、刊行物１記載の発明の「蛋白マトリックス」は、酵素により分解された蛋白質（アミノ酸の重合体）を動物に与えるものであり、「カプセル」は補助物質として飼料に混合されるものであるから、「家畜の栄養物として用いられ、成長率において重要な改善がある、蛋白マトリックス内に脂質物質をカプセル化する方法」は、本件補正発明の「動物の成長を促進するため所望のアミノ酸を与えるようにした栄養補助物質の製造方法」に相当する。
　さらに、刊行物１記載の発明は、混合物を直径約２５ｍｍの穴をもつオリフィス盤を通過することによって細分化する工程を有しており、これにより混合物中の固体粒子の表面積が増大されることは明らかである。
　
　よって、両者は、
「動物の成長を促進するため所望のアミノ酸を与えるようにした栄養補助物質の製造方法であって、
動物血液、羽および動物屑肉を混合して混合物を作る工程と、
該混合物中の固体粒子の表面積を増大させる工程と、
該混合物にプロテアーゼ酵素を添加する工程と、
該プロテアーゼ酵素で上記混合物を消化する工程と、
消化された混合物を急速乾燥する工程と、
を具備してなる方法。」
　である点で一致し、以下の点で相違している。
　
（相違点１）
　栄養補助物質について、本件補正発明は、若い動物を対象とするものであるのに対して、刊行物１記載の発明は、対象とする動物が「若い」かは不明である点。
（相違点２）
　羽について、本件補正発明は予め熱加水分解されているのに対し、刊行物１記載の発明は、未加工である点。
（相違点３）
　混合物中の固体粒子の表面積を増大させる工程について、本件補正発明は、酵素活性を高める目的で混合物を粉砕しているのに対して、刊行物１記載の発明は、目的は明示されておらず、混合物を直径約２５ｍｍの穴をもつオリフィス盤を通過することによって細分化させている点。
（相違点４）
　本件補正発明は、該プロテアーゼ酵素を予め失活させることなく、水分が５−８重量％となるように乾燥すると同時に混合物中の病原菌の滅菌を行う工程を具備し、処理の間、温度を８３℃を超えないようにしているのに対し、刊行物１記載の発明は、プロテアーゼ酵素の失活について明示されておらず、水分量が８％〜０％まで乾燥する工程と滅菌する工程を別工程で行っており、かつ、滅菌工程で１３３℃あるいはそれ以上の温度を付与している点。
　
　２−３．判断
　相違点について検討する。
（相違点１について）
　刊行物１記載の発明は、動物の成長を促進するために与えられるものであるから、刊行物１記載の発明における栄養補助物質（カプセル化された脂質物質）を、特に成長促進が見込まれる若い動物に提供することは、当業者が適宜なし得たことである。
　
（相違点２について）
　上記記載事項（１ｄ）には「加水分解された羽毛も使用される」点が記載されており、また、加水分解において熱を加えることは慣用手段であるから、刊行物１記載の発明における未加工の羽毛に代えて、熱加水分解された羽を使用することは、当業者が容易になし得たことである。
　
（相違点３について）
　刊行物１記載の発明も、混合物が細分化されて固体粒子の表面積が増大している以上、酵素活性が高められていることは明らかである。そして、刊行物１記載の発明は、最終的には粉状、顆粒状等とするものであるから、混合物の表面積をさらに増大して酵素活性を高めるため、細分化する代わりに、混合物の段階で慣用手段である粉砕を行うことは、当業者が適宜なし得たことである。
  　
（相違点４について）
　刊行物２記載の発明は、熱変性されていない魚蛋白質を得るために、マイワシに蛋白質分解酵素を加えて加水分解させたスラリー状物を７５℃に昇温して１５分間保つことにより酵素を失活させた後、真空凍結乾燥する工程を有しており、ここで、７５℃で１５分間保つ工程で滅菌効果がもたらされることは、当業者にとって自明の事項である。
　一方、飼料の製造方法において、酵素の不活性化を兼ねて比較的低温で乾燥を行うことは、例えば特開平３−２５４６４１号公報（２頁右下欄７〜１０行には、乾燥と酵素の不活性化を兼ねて、処理物に好ましくは７５〜８５℃の範囲で乾燥する点が記載されている。）に開示されているように、周知の技術である。
　さらに、混合物中の水分の割合について、下限を５重量％とした技術的意義について検討するために本願の発明の詳細な説明を参酌しても、当該数値の臨界的意義は不明であり、一方、保存性等を勘案して適宜な水分量とすることは、当業者が適宜決定する事項にすぎない。
　よって、刊行物１記載の発明に上記刊行物２記載の技術及び周知の技術を適用し、刊行物１記載の発明において、蛋白質の熱変性を避けるため、処理工程において温度が８３℃を超えないようにし、また、酵素の不活性化の工程を予め行うことなく、水分が５−８重量％となるよう乾燥と滅菌を同時に行うことは、当業者が容易になし得たことである。
  
　そして、本件補正発明の効果は、刊行物１記載の発明、刊行物２記載の技術及び周知の技術から予測することができる程度のことである。
　
　よって、本件補正発明は、刊行物１記載の発明、刊行物２記載の技術及び周知の技術に基づいて当業者が容易に発明をすることができたものであるから、特許法第２９条第２項の規定により特許出願の際独立して特許を受けることができないものである。
　
３．補正の却下の決定のむすび
　したがって、本件補正は、平成１８年法律第５５号改正附則第３条第１項によりなお従前の例によるとされる同法による改正前の特許法第１７条の２第５項において準用する同法第１２６条第５項の規定する要件を満たしていないので、同法第１５９条第１項において読み替えて準用する同法第５３条第１項の規定により、却下すべきものである。
　よって、［補正の却下の決定の結論］のとおり、決定する。
　
【３】本願発明
１．平成１９年８月３日付けの手続補正書は、上記のとおり却下されたので、本願の請求項１に係る発明は、平成１９年３月１５日付けの手続補正書により補正された明細書の特許請求の範囲の請求項１に記載された事項により特定される次のとおりのものと認める。 
「１．若い動物の成長を促進するため所望のアミノ酸を与えるようにした栄養補助物質の製造方法であって、
  動物血液、加水分解された羽および屑肉を混合して混合物を作る工程と、
  該混合物にプロテアーゼ酵素を添加する工程と、
  該プロテアーゼ酵素で上記混合物を消化する工程と、
  消化された混合物を乾燥し、その水分が５−８重量％となるようにし、同時に混合物中の病原菌の滅菌を行う工程と、
  を具備してなることを特徴とする方法。」 
 （以下、本願の請求項１に係る発明を、「本願発明」という。） 
　
２．本願発明と刊行物１記載の発明との対比・判断 
　２−１．引用刊行物
　原査定の拒絶の理由に引用された刊行物、および、その記載事項は、前記「【２】２．２−１．」に記載した通りである。
　
　２−２．対比・判断
　本願発明は、前記【２】で検討した本件補正発明の「予め熱加水分解された羽」を「加水分解された羽」とし、「動物屑肉」と「屑肉」とし、「該混合物を粉砕し、該混合物中の固体粒子の表面積を増大させ、酵素活性を高める工程」、「該プロテアーゼ酵素を予め失活させ」ないという事項、及び「これら処理の間、温度を８３℃を超えないようにする」という事項を省いたものである。
　そうすると、本願発明の特定事項を全て含み、さらに他の特定事項を付加したものに相当する本件補正発明が、前記「【２】２．２−３．」に記載したとおり、刊行物１記載の発明、刊行物２記載の技術及び周知の技術に基づいて当業者が容易に発明をすることができたものであるから、本願発明も、同様の理由により、刊行物１記載の発明、刊行物２記載の技術及び周知の技術に基づいて、当業者が容易に発明をすることができたのものである。
　
３．むすび
　以上のとおり、本願発明は、刊行物１記載の発明、刊行物２記載の技術及び周知の技術に基づいて、当業者が容易に発明をすることができたものであるから、特許法第２９条第２項の規定により特許を受けることができないものであり、本願の他の請求項に係る発明について検討するまでもなく、本願は拒絶すべきものである。